(57)【特許請求の範囲】
【請求項１】
必要な高さを有し、平行で鉛直な壁面が両側に存在する地下室入口の階段の最上段の下に設けた空気袋設置窪の反地下室側の壁面を、階段両側の壁面に直交する鉛直な壁面とする。
この反地下室側の壁面に、階段の最上段の踏板とするために地下室側をＬ字形に折曲げた鋼板の外面に張り付けたゴム引布製の板の、鋼板の非折曲げ側を適当長だけ外れた位置にて曲げ下げて設けたゴム引布製の板の固定部を、アンカーボルトと押え板によって反地下室側壁面に押え付けることによって固定する。
さらに、踏板面が平らになったときには、Ｌ字形に折曲げた鋼板の非折曲側の先端がこの押え板に設けた支持用突起に支持され、同時に折曲側の先端が階段の上から２段目の踏面の反地下室側の端部に設けた台に支持されるようにする。
このようにして階段の最上段として設置されたＬ字形に折曲げた鋼板に張り付けたゴム引布製の板には、鋼板に張り付けた部分と、曲げ下げて空気袋設置窪の反地下室側壁面に押え付けられた固定部との間に、適当な幅の非拘束部を設ける。このゴム引布製の板の非拘束部の柔軟性のために、Ｌ字形に折曲げた鋼板は、非拘束部付近を回転中心として起伏することが可能である。すなわち、Ｌ字形に折曲げた鋼板が階段最上段の踏板であると同時に浸水防止ゲートの起伏する扉体として機能する。
他方、空気袋設置窪の両側の壁面は、階段の両側に存在する平行で鉛直な壁面の延長であり、その床面は反地下室側壁面の位置では、ゴム引布製の板の固定部の固定に必要なだけの深さを有し、階段の上から２段目の踏面の反地下室側の端部に設けた台から下り反地下室側壁面と平行な地下室側壁面の下端まで、適当な下り勾配で続いている。
また空気袋設置窪の両側の壁面と床面の交わる位置には、必要な幅と深さと階段下方向への排水勾配を有する排水溝を設ける。
このようにした空気袋設置窪の床面の反地下室側の壁面に近く、かつ平行な適当位置に設けた１列のアンカーボルトと押え板によって、空気を排出したとき、平らな長方形になる３辺が閉じ、１辺が開いたゴム引布製の空気袋の、階段の幅より両側の排水溝の幅を差し引いた値より適当量短い長さを有する開いた辺を、床面に押え付けることによって密閉しつつ固定する。
他方、Ｌ字形に折曲げた鋼板の幅を階段の幅より適当量だけ小さくして起伏運動に際して両側の壁面と接触することなく、同時に大きな塵芥が折曲げた鋼板の下に入り込まないようにする。
加えて、階段両側の壁面において、階段両側の壁面と空気袋設置窪の反地下室側壁面の上端線との交点から、上部を地下室側に傾けて上方向に伸びる支圧面を有する棒状の停止材を突起させ、この停止材の支圧面はＬ字形に折曲げた鋼板が所定の起立姿勢となったときに外面に張り付けたゴム引布製の板の両側端部を上方から押えるよう設定する。
以上のように構成した後に、空気袋設置窪の空気袋に、管理室に設けた空気タンクを有する空気操作装置から空気管を接続し、空気袋の内部に空気タンクに貯えた圧縮空気を送入すれば、空気袋がＬ字形に折曲げた鋼板の外面に張り付けたゴム引布製の板の非拘束部を曲げることにより、Ｌ字形に折曲げた鋼板を起立させつつ膨張する。
所定の起立姿勢に達するとＬ字形に折曲げた鋼板は、外面に張り付けたゴム引布製の板の両側端部が、階段両側の壁面から突起した停止材の支圧面によって壁面の水密線を形成しつつ押えられるので停止し、洪水が地下室に侵入するのを防止する。
逆に空気袋の内部の圧力を有する空気を排出すれば、Ｌ字形に折曲げた鋼板が倒伏して階段の最上段の踏板の位置に戻って階段が通行可能となるようにしたことを特徴とする浸水防止ゲート。
【請求項２】
請求項１の浸水防止ゲートにおいて、Ｌ字形に折曲げた鋼板の折曲げ部先端の一部に凹部を設け、上から２段目の踏面との間に手やバール等を差し入れる隙間を作り、非常用手掛け部としたことを特徴とする浸水防止ゲート。
【請求項３】
請求項１または２の浸水防止ゲートにおいて、Ｌ字形に折曲げた鋼板の折曲げ部の内側に、階段両側の壁面に平行で鋼板面とは適当な角度を有する軸によって、適当な長さと十分な強度を有する支柱を回転自由に取り付けて、Ｌ字形に折曲げた鋼板が起立するときには支柱が自重によって軸から吊り下がり、Ｌ字形に折曲げた鋼板が倒伏できないようにし、逆にＬ字形に折曲げた鋼板を倒伏させるときはこの支柱の先端を人力にて持ち上げて折曲げ部の内側に収納するようにしたことを特徴とする浸水防止ゲート。
【発明の詳細な説明】
【０００１】
【発明の属する技術分野】
この発明は、地下街や地下駐車場など、地下を利用する空間に洪水が侵入してその機能を破壊する災害を防止するために地下室の入口に設置する浸水防止ゲートに関するものである。
【０００２】
【従来の技術】
従来、地下街や地下駐車場などの浸水防止のためには、災害の発生が予想されたときには、地下室（地下空間）の入口に砂袋や角材を積上げる方法が採用されてきた。
【０００３】
【発明が解決しようとする課題】
ところで、最近の地下室の浸水災害の発生状況では、
１）集中豪雨による急激な水位上昇の際には間に合わない。
２）小人数で多数の出入口の浸水防止作業を行なう必要があり、作業量が多いために手遅れとなってしまう。
等の問題点が報告されている。
【０００４】
この発明は、以上のように小人数で短時間に多数箇所での浸水防止作業の実施を要請される防災担当者に、簡単な操作（空気弁を開く）により、短時間で安全・確実に（空気タンク内の圧縮空気を使用するので急速かつ停電時も操作可能）操作できる安価な浸水防止ゲートを提供しようとするものである。
【０００５】
【課題を解決するための手段】
この発明では、地下室入口の階段の最上段に固定したゴム引布製の板の下面に張り付けた起伏自在な鋼板製起伏扉体を、階段上部に設けた空気袋設置窪に固定した空気袋を膨張させることによって起立させ、加えて起伏扉体の先端に回転自由に取り付けた支柱が、扉体起立時には自動的に吊り下がって扉体の倒伏を防止するという安全装置を有する浸水防止ゲートを提供する。
【０００６】
加えて、起伏扉体の側面水密は、扉体外面のゴム引布製の布が階段両側の鉛直な壁面から棒状に突起した停止材に押えられることによって形成されるから、扉体の起伏運動に際しては摺動する部品がないので、軽快にかつ確実に操作できる利点を有している。
【０００７】
【発明の実施の形態】
以下、この発明の浸水防止ゲートの実施の形態を、図面に基いて詳細に説明する。
【０００８】
図１、図２、図３、図４、図５ならびに図６はこの発明の浸水防止ゲートの１実施例を示すものであり、図１は浸水防止ゲートの背面図であり、図２は断面図でともに倒伏状態を示し、図３は背面図であり、図４は断面図でともに起立状態を示し、図５はＬ字形に折曲げた鋼板とこれに接着したゴム引布製の板ならびに支柱の説明図、図６は空気袋の説明図である。
【０００９】
図１、図２、図３および図４において、必要な高さを有し、平行で鉛直な壁面１が両側に存在する地下室入口の階段の最上段の下に設けた空気袋設置窪１４の反地下室側壁面２を、階段両側の壁面１に直交する鉛直な壁面とする。
この反地下室側壁面２に、階段の最上段の踏面とするために地下室側をＬ字形に折曲げた鋼板３の外面に張り付けたゴム引布製の板４の鋼板３の非折曲げ端５を適当長だけ外れた位置において曲げ下げて設けたゴム引布製の板の固定部６を、アンカーボルト７と押え板８とによって反地下室側壁面２に押え付けることによって固定する。
【００１０】
さらに、ゴム引布製の板４の踏面９が平らになったときには、鋼板３の非折曲げ端５が押え板８に設けた支持用突起１０に支持され、同時に鋼板３の折曲げ部の先端１１が、階段の上から２段目の踏面１２の反地下室側の端部に設けた台１３に支持されるようにする。
このようにして、階段の最上段として設置されたＬ字形に折曲げた鋼板３に張り付けたゴム引布製の板４には、鋼板３に張り付けた部分と曲げ下げて空気袋設置窪１４の反地下室側壁面２に押え付けられた固定部６との間に適当な幅の非拘束部１５を設ける。
このゴム引布製の板４の非拘束部１５は、柔軟で自在に変形するのでＬ字形に折曲げた鋼板３は、この非拘束部１５付近を回転中心として起立または倒伏することが可能である。すなわち、Ｌ字形に折曲げた鋼板３はゴム引布製の板４とともに、階段の最上段の踏板であると同時に、浸水防止ゲートの起伏する扉体としての機能を有することになる。
【００１１】
他方、空気袋設置窪１４の両側の壁面１６は、階段の両側に存在する平行で鉛直な壁面１の延長であり、その床面１７は、反地下室側壁面２の位置ではゴム引布製の板４の固定部６の固定に必要なだけの深さを有し、階段の上から２段目踏面１２の反地下室側の端部に設けた台１３に接する反地下室側壁面２と平行な地下室側壁面１８の位置まで適当な下り勾配で続いている。
また、空気袋設置窪１４の両側の壁面１６と床面１７の交わる位置には、必要な幅と深さと階段の下方向への排水勾配を有する排水溝１９を設ける。
このようにした空気袋設置窪１４の床面１７の反地下室側壁面２に近くかつ平行な適当位置に設けた１列のアンカーボルト２０と押え板２１によって、空気を排出したとき平らな長方形になる３辺が閉じ、１辺が開いたゴム引布製の空気袋２２の、階段の幅より両側の排水溝１９の幅を差し引いた値より適当量短い長さを有する開いた辺を、床面１７に押え付けることによって密閉しつつ固定する。
またＬ字形に折曲げた鋼板３の幅を階段の幅より適当量だけ小さくして起伏運動に際して両側の壁面１と接触することなく、同時に大きな塵芥が鋼板３の下に入り込まないようにする。
【００１２】
さらに、鋼板３の折曲げ部２３の内側に、階段両側の壁面１に平行で鋼板３の面とは適当な角度を有する軸２４によって適当な長さと十分な強度を有する支柱２５を回転自由に取り付けて、鋼板３が起立するときには支柱２５が自重によって軸２４から吊り下がり鋼板３が倒伏できないようにする。
鋼板３を倒伏させるときは、この支柱２５の先端２６を人力によって持ち上げて折曲げ部２３の内側に収納する。
加えて、階段両側の壁面１において、壁面１を空気袋設置窪１４の反地下室側壁面２の上端線との交点２７から、上部を地下室側に傾けて上方向に伸びる支圧面２８を有する棒状の停止材２９を突起させる。
この停止材２９の支圧面２８は、鋼板３が所定の起立姿勢まで起立したときに、鋼板３の外側に張り付けたゴム引布製の板４の両側端部３０を上方から押え付ける位置に設定する。
【００１３】
以上のように構成した後に、空気袋設置窪１４の空気袋２２の床面１７側に取り付けた口金３１に、管理室に設けた空気タンク３２を有する空気操作装置から空気管３３を接続する。すなわち、図１、図２、図３および図４に示すように、空気操作装置は、排気用開閉弁３４、排気用流量調整弁３５、排気放出部３６、給気用開閉弁３７、給気用流量調整弁３８、空気タンク３２、逆止弁３９、空気圧縮機４０により構成される。そして、空気タンク３２の内部には常に空気圧縮機４０で作った圧縮空気を逆止弁３９を通して送り込んで貯える。
【００１４】
いま、給気用開閉弁３７を開いて給気用流量調整弁３８、空気管３３を通して口金３１から空気袋２２の内部に空気タンク３２に貯えた圧縮空気を送り込むと、Ｌ字形に折曲げた鋼板３は、ゴム引布製の板４とともに押し上げられ、ゴム引布製の板４の非拘束部１５が曲げられつつ起立する。やがて、鋼板３とゴム引布製の板４が所定の起立姿勢に達すると、鋼板３とゴム引布製の板４の両側端部３０が、階段両側の壁面１から突起した停止材２９の支圧面２８によって押えられるので、側面の水密が形成されると同時に、起立運動が停止する。
【００１５】
このとき、鋼板３の折曲げ部２３の内部に設けた軸２４に回転自由に取り付けられた支柱２５がその自重によって吊り下がり、先端２６が空気袋設置窪１４の床面１７の地下室側壁面１８に沿う部分に設けた支持材４１の上にくるので、洪水となって鋼板３が水面４２に達した水の圧力を受けた結果倒伏しそうになった場合にも、支柱２５の先端２６が支持材４１に支持されて倒伏しない。
この状態の浸水防止ゲートを地下室側から見たのが図３であり、その断面図が図４である。
【００１６】
洪水の危険が去ったときには、鋼板３とゴム引布製の板４を倒伏させる。先ず、人力で支柱２５の先端２６を持ち上げて、支柱２５を折曲げ部２３の内側に収納しつつ、管理室の給気用開閉弁３７を閉じ、排気用開閉弁３４を開くと、空気袋２２の内部の圧力を有する空気は、口金３１、空気管３３、排気用開閉弁３４、排気用流量調整弁３５を経て排気放出部３６から大気中へ放出されるから、鋼板３とゴム引布製の板４は倒伏を開始する。
【００１７】
倒伏が少し進んだところでは、支柱２５の先端２６を持ち上げている手を離すことができる。手を離すと支柱２５は自重によって軸２４から吊り下がるけれども、傾いているから先端２６が支持材４１に接触しつつ滑動して鋼板３を支持することができない。したがって、鋼板３とゴム引布製の板４は倒伏運動を継続することができる。
【００１８】
やがて、鋼板３の折曲げ部２３の先端１１が、階段の上から２段目の踏面１２に設けた台１３に支持され、また鋼板３の非折曲げ端５が押え板８の支持用突起１０に支持されるから、鋼板３とゴム引布製の板４は平らになり、安定に支持されて階段の最上段となり、階段の通行が可能となる。
【００１９】
図５にＬ字形に折曲げた鋼板３とゴム引布製の板４の説明図を示す。鋼板３とその外面に接着したゴム引布製の板４は、階段両側の壁面１で定められる階段の幅より適当量小さい幅に製作されて、起伏運動時に壁面１との間に摩擦力が生じないようにすると同時に、大きな塵芥が鋼板３の下側に入り込まないようになっている。それでも、壁面１と鋼板３ならびにゴム引布製の板４との間には隙間があるので、鋼板３の下側には砂塵や掃除時に使用する水が入り込むが、これらは、必要な幅と深さと、階段の下方向への排水勾配を有する排水溝１９によって排出されるので、浸水防止ゲートの機能に障害を与えることはない。
【００２０】
図５に示すごとく、鋼板３の折曲げ部２３の内側には軸２４によって支柱２５が回転自由に取り付けられる。
また鋼板３の非折曲げ端５の外側に非拘束部１５を設けた後に曲げ下げたゴム引布製の板４の固定部６にはアンカーボルト７が貫通するための孔４３が設けてある。
さらに、鋼板３の折曲げ部先端には２個所の凹部を設け、非常用手掛け部４５としてある。
【００２１】
図６に空気袋２２の説明図を示す。
空気袋２２は、内部の空気を排出したとき平らな長方形になる。そして、３辺が閉じ、１辺が開いたゴム引布製の十分な強度を有する袋であり、開いた辺の長さは、階段両側の壁面１で定められる階段の幅から両側の排水溝１９の幅を差し引いた値より適当量短い長さである。したがって通常時、空気袋２２が平らに縮小して鋼板３の下の空気袋設置窪１４に納まった状態で壁面１と鋼板３の隙間から入りこむ砂塵や水が確実に排水溝１９から階段の下方に排出される。
さらに、空気袋２２の開いた辺に沿う位置には、床面１７に固定するためのアンカーボルト２０の貫通する孔４４が１列に設けられている。
【００２２】
【発明の効果】
この発明の浸水防止ゲートでは、階段の最上段として設置したＬ字形に折曲げた鋼板に張り付けたゴム引布製の板を鋼板の非折曲げ端の外側に適当な幅の非拘束部を設けた後に曲げ下げて空気袋設置窪の反地下室側壁面に固定したので、階段の最上段はコンクリートの床面からゴム引布製の板へと凹凸なく連続しており、通常通行人の歩行に支障のない構造とすることができた。このとき、ゴム引布製の板の表面には、適当な模様を付して滑りにくくすることができる。
【００２３】
さらに、階段両側の壁面に突起させて設けた棒状の停止材の支圧面が、鋼板とゴム引布製の板の両側端部を所定の起立姿勢において押え付けることによって側面水密線を形成する構造としたので、起伏運動に際して、壁面と鋼板ならびにゴム引布製の板との間に摩擦力が発生することがなく、起伏運動の確実性が著しく向上した。
【００２４】
また、起伏運動は、鋼板とゴム引布製の板の下に設けた空気袋設置窪の床に固定した空気袋の内部に、管理室に設けた空気タンクに貯えた圧縮空気を送入したり、排出したりして行なうので、停電時においても操作が可能であり、加えて操作速度を早くすることができた。このように、操作に必要な力の伝達を空気の圧力を利用して行なうので、空気が万一漏れた場合にも、環境を汚染する心配がない。
【００２５】
さらに、鋼板とゴム引布製の板が起立したときには自動的に支柱がセットされる構造としたので、一旦起立した鋼板とゴム引布製の板が空気袋の漏気などのため倒伏する心配がないから、多数の出入口を有する地下街などの管理者にとって信頼性の高い浸水防止ゲートとすることができた。
【００２６】
加えて、万一、洪水時に圧縮空気を送入しても空気袋が鋼板とゴム引布製の板を押し起こすことができないという不測の事態に対応するため、鋼板の折曲げ部先端に非常用手掛け部を設け、人力による強制起立の手段を設けたので確実性が著しく向上した。
【図面の簡単な説明】
【図１】この発明の浸水防止ゲートの１実施例を示す背面図である。
【図２】浸水防止ゲートの断面図で、図１とともに倒伏状態を示している。
【図３】浸水防止ゲートの背面図である。
【図４】浸水防止ゲートの断面図で、図３とともに起立状態を示している。
【図５】Ｌ字形に折曲げた鋼板とこれに接着したゴム引布製の板の説明図である。
【図６】空気袋の説明図である。
【符号の説明】
１ 壁面
２ 反地下室側壁面
３ 鋼板
４ ゴム引布製の板
５ 非折曲げ端
６ 固定部
７ アンカーボルト
８ 押え板
９ 踏面
１０ 支持用突起
１１ 先端
１２ 踏面
１３ 台
１４ 空気袋設置窪
１５ 非拘束部
１６ 壁面
１７ 床面
１８ 地下室側壁面
１９ 排水溝
２０ アンカーボルト
２１ 押え板
２２ 空気袋
２３ 折曲げ部
２４ 軸
２５ 支柱
２６ 先端
２７ 交点
２８ 支圧面
２９ 停止材
３０ 両側端部
３１ 口金
３２ 空気タンク
３３ 空気管
３４ 排気用開閉弁
３５ 排気用流量調整弁
３６ 排気放出部
３７ 給気用開閉弁
３８ 給気用流量調整弁
３９ 逆止弁
４０ 空気圧縮機
４１ 支持材
４２ 水面
４３ 孔
４４ 孔
４５ 非常用手掛け部
【図１】
0003760340.tif 000002
【図２】
0003760340.tif 000003
【図３】
0003760340.tif 000004
【図４】
0003760340.tif 000005
【図５】
0003760340.tif 000006
【図６】
0003760340.tif 000007